(57)【要約】【課題】  カートリッジの有無を検知するセンサと基板部とを結ぶ配線を、コストをかけずに、かつ、熱の影響を受けないように引き回すことのできるレーザプリンタ装置を提供する。【解決手段】  用紙を搬送するモータ６が枠体１２の内側に配設され、その下方にカートリッジの有無を検知する検知部を設けたモータカバー７がベース部材１１に取り付けられている。検知部で捉えられた信号は、配線９を介して枠体１２の外側に配設された基板部１０に送られる。ベース部材１１には、モータカバー７を係止するための第１の切り起こし部１１ａが形成され、さらに、所定の位置に第２の切り起こし部１１ｂが形成されている。配線９は、第１の切り起こし部１１ａによってモータカバー７とベース部材１１との間に生じた隙間から、第２の切り起こし部１１ｂを経て基板部１０に接続される。【選択図】        図２
2006259523.tif 000002
【特許請求の範囲】
【請求項１】
互いに対向するように配設された１対の枠体と、
前記１対の枠体の間を渡すように、前記１対の枠体のそれぞれに固定されたベース部材と、
前記ベース部材の下方に配設され、所定の用紙に画像を印刷するためのトナーを転写する感光体と、
前記ベース部材の下方に前記感光体と対向するように配設され、トナーを供給するカートリッジと、
前記ベース部材に載置され、所定の画像信号に基づいてレーザ光線を前記感光体に照射するためのレーザスキャニングユニットと、
前記感光体の上方に前記ベース部材と並ぶように配設され、用紙に転写されたトナーを定着するための定着ユニットと、
前記１対の枠体のうちの一方の枠体の内側に配設され、用紙を搬送するための駆動力を付与するモータと、
前記ベース部材に装着され、前記モータを下方から覆うするカバー部材と、
前記カバー部材に取付けられ、前記カートリッジの有無を検出する検知部と、
前記一方の枠体の外側に配設され、印刷動作を制御する基板部と、
前記検知部と前記基板との間を接続する配線と
を備え、
前記ベースは、
前記モータカバーを留めるための第１切り起こし部と、
前記第１切り起こし部から距離を隔てられ、前記モータと前記定着ユニットの間に設けられた第２切り起こし部と
を備え、
前記配線は、前記モータカバーと前記第１切り起こし部との隙間から取り出され、前記第２切り起こし部に留められて前記基板部に接続されている、レーザプリンタ装置。
【請求項２】
レーザスキャニングユニットを有するレーザプリンタ装置であって、
レーザスキャニングユニットを載置する所定のベース部材と、
前記ベース部材における互いに対向する１対の第１端部のうちの一方の第１端部の下方に配設され、印画のためのトナーを供給し所定の方向に出し入れされるカートリッジの有無を判断する検知部と、
前記ベース部材における前記一方の第１端部の側方に配設され、用紙を搬送するための駆動部と、
前記ベース部材において前記１対の第１端部が対向する方向と略直交する方向に対向する１対の第２端部のうちの一方の第２端部の側方に、前記ベース部材と並ぶように配設され、前記レーザスキャニングユニットによって用紙に転写されたトナーを定着するための定着ユニットと、
前記駆動部に対して前記ベース部材が位置する側とは反対の側に配設され、印刷動作を制御する基板部と、
前記検知部と前記基板部とを接続する配線と
を備え、
前記配線は、前記検知部から前記ベース部材を貫通する所定の開口部を通り、前記駆動部と前記定着ユニットとの間を経由して前記基板に接続された、レーザプリンタ装置。
【請求項３】
前記ベース部材に装着され、前記駆動部を下方から覆う駆動部カバー部材を備え、
前記検知部は前記駆動部カバー部材に取り付けられ、
前記所定の開口部は、前記駆動部カバー部材と前記ベース部材との取付け部分における前記定着ユニット側に設けた隙間である、請求項２記載のレーザプリンタ装置。
【請求項４】
前記隙間は、前記駆動部カバー部材を留めるための前記ベース部材に設けた第１切り起こし部により生じた隙間である、請求項３記載のレーザプリンタ装置。
【請求項５】
前記ベース部材における前記定着ユニットの側の前記一方の第２端部に形成された第２切り起こし部を備え、
前記配線は、前記第２切り起こし部に留められて前記基板に接続される、請求項２〜４のいずれかに記載のレーザプリンタ装置。
【請求項６】
前記ベース部材の前記１対の第１端部をそれぞれ支持する１対の枠体を備え、
前記１対の枠体のうちの前記一方の側に位置する枠体の内側に前記駆動部が配設され、前記枠体の外側に前記基板部が配設された、請求項２〜５のいずれかに記載のレーザプリンタ装置。
【発明の詳細な説明】
【技術分野】
【０００１】
本発明はレーザプリンタ装置に関し、特に、レーザスキャニングユニットを備えたレーザプリンタ装置に関するものである。
【背景技術】
【０００２】
プリンタ装置の一形態にレーザプリンタ装置がある。図８に示すように、レーザプリンタ装置１０１では、レーザプリンタ装置１０１の給紙口１１３から給紙された所定の用紙１２０が感光体１０２を通過する際に、レーザスキャニングユニット１０４により画像信号に基づいた所定のレーザ光線をその感光体１０２に照射することによってその用紙１２０にトナーが転写される。トナーが転写された用紙１２０は定着ユニット１０５において、所定の温度にて定着されて排紙口１１４から排紙される。この種のレーザプリンタ装置１０１では、感光体１０２にトナーを供給するためのトナーを収容したカートリッジ１０３の出し入れが所定のメンテナンス扉を開けて行なわれ、カートリッジ１０３がレーザプリンタ装置１０１に装着されているのを所定の検知部（図示せず）にて検知した後に、所定の印刷動作が行なわれることになる。
【０００３】
ところで、レーザプリンタ装置１０１では、レーザプリンタ装置の筐体の骨組みとして互いに対向するように１対の枠体（図示せず）が配設されている。カートリッジ１０３、感光体１０２、定着ユニット１０５およびレーザスキャニングユニット１０４は、この１対の枠体の中のそれぞれ所定の位置に配設されている。一方、用紙１２０の搬送（点線矢印）を含むレーザプリンタ装置１０１を駆動させるモータ（図示せず）は１対の枠体の外側の所定の位置に配設されている。また、レーザプリンタ装置１０１の動作を制御する基板部（図示せず）は、その１対の枠体うちの一方の枠体の外側に配設されている。その基板部とカートリッジ１０３が装着されていることを検知する検知部とは所定の配線を介して電気的に接続されている。なお、レーザプリンタ装置内の配線構造について開示した文献として特許文献１がある。
【特許文献１】実用新案登録第３０８５４１２号公報
【発明の開示】
【発明が解決しようとする課題】
【０００４】
しかしながら、従来のレーザプリンタ装置では次のような問題点があった。レーザプリンタ装置１０１では、装置の小型化が進められ、その一環で、モータを１対の枠体の内側に配設することが求められている。１対の枠体の内側にモータを配設する場合には、メンテナンスの際に出し入れが行なわれるカートリッジ１０３と干渉しないようにカートリッジ１０３に接近させてモータを配設することが要求される。
【０００５】
ところが、モータをカートリッジ１０３に接近させると、カートリッジ１０３を検知するセンサと基板とを結ぶ配線がモータの熱の影響を受けることになる。そのモータの熱の影響を避けて配線しようとすると、配線が定着ユニットの側に接近することがあった。定着ユニットでは、温度約２００℃程度で定着を行なうために、配線が定着ユニットの熱の影響を受けてしまうという問題があった。これに対して、配線が熱の影響を受けないように耐熱性の高い配線材料を使用しようとすると、コストが上昇してしまうという問題があった。また、モータと定着ユニットとの双方を避けて配線を引き回そうとすると、配線がより長くなってしまいノイズの影響を受けやすくなるという問題があった。
【０００６】
本発明は上記問題点を解決するためになされたものであり、その目的は、カートリッジの有無を検知するセンサと基板部とを結ぶ配線を、コストを上げることなく、かつ、熱の影響を受けないように引き回すことのできるレーザプリンタ装置を提供することである。
【課題を解決するための手段】
【０００７】
本発明に係るレーザプリンタ装置は、１対の枠体とベース部材と感光体とカートリッジとレーザスキャニングユニットと定着ユニットとモータとモータカバー部材と検知部と基板部と配線とを備えている。１対の枠体は互いに対向するように配設されている。ベース部材は、１対の枠体の間を渡すように、１対の枠体のそれぞれに固定されている。感光体はベース部材の下方に配設され、所定の用紙に画像を印刷するためのトナーを転写する。カートリッジはベース部材の下方に感光体と対向するように着脱可能に配設され、トナーを供給する。レーザスキャニングユニットはベース部材に載置され、所定の画像信号に基づいてレーザ光線を感光体に照射する。定着ユニットは感光体の上方にベース部材と並ぶように配設され、用紙に転写されたトナーを定着する。モータは１対の枠体のうちの一方の枠体の内側に配設され、用紙を搬送するための駆動力を付与する。モータカバー部材はベース部材に装着され、モータを下方から覆う。検知部はモータカバー部材に取付けられ、カートリッジの有無を検出する。基板部は一方の枠体の外側に配設され、印刷動作を制御する。配線は検知部と基板部との間を接続する。ベース部材は、モータカバー部材を留めるための第１切り起こし部と、その第１切り起こし部から距離を隔てられ、モータと定着ユニットの間に設けられた第２切り起こし部とを備えている。配線は、モータカバーと第１切り起こし部との隙間から取り出され、第２切り起こし部に留められて基板部に接続されている。
【０００８】
この構成によれば、小型化を図るためにモータが枠体の内側に配設されたレーザプリンタ装置において、検知部と基板部とを接続する配線を、検知部を配設したモータカバーが取付けられるベース部材にそれぞれ設けられる所定の第１の切り起こし部と第２の切り起こし部とを経由させることで、コストを上昇させることなく、モータや定着ユニットの熱の影響を受けることなく比較的短い距離でもって接続することができる。
【０００９】
本発明に係る他のレーザプリンタ装置は、レーザスキャニングユニットを有するレーザプリンタ装置であって、所定のベース部材と検知部と駆動部と定着ユニット基板部と配線とを備えている。ベース部材はレーザスキャニングユニットを載置する。検知部はベース部材における互いに対向する１対の第１端部のうちの一方の第１端部の下方に配設され、印画のためのトナーを供給し所定の方向に出し入れされるカートリッジの有無を判断する。駆動部はベース部材における一方の第１端部の側方に配設され、用紙を搬送する。定着ユニットはベース部材において１対の第１端部が対向する方向と略直交する方向に対向する１対の第２端部のうちの一方の第２端部の側方に、ベース部材と並ぶように配設され、レーザスキャニングユニットによって用紙に転写されたトナーを定着する。基板部は、駆動部に対してベース部材が位置する側とは反対の側に配設され、印刷動作を制御する。配線は検知部と基板部とを接続する。その配線は検知部からベース部材を貫通する所定の開口部を通り、駆動部と定着ユニットとの間を経由して基板に接続されている。
【００１０】
この構成によれば、検知部と基板部とを接続する配線を、検知部を配設したモータカバーが取付けられるベース部材にそれぞれ設けられる所定の開口部を通り駆動部と定着ユニットの間を経由させることで、コストを上昇させることなく、モータや定着ユニットの熱の影響を受けることなく比較的短い距離をもって接続することができる。
【００１１】
また、ベースカバー部材に装着され、駆動部を下方から覆う駆動部カバー部材を備え、検知部はその駆動部カバー部材に取り付けられ、所定の開口部は、駆動部カバー部材とベース部材との取付け部分における定着ユニット側に設けた隙間であることが好ましい。
これにより、開口部をベース部材に別途形成することなく駆動部カバー部材とベース部材との隙間を利用することができる。
【００１２】
また、そのベース部材に駆動部カバー部材を留めるために第１切り起こし部を設けることで、この隙間を確実に形成することができる。
【００１３】
さらに、駆動部と定着ユニットの間を確実に経由させるために、ベース部材における定着ユニットの側の端部に第２切り起こし部を形成することが好ましく、これにより、配線をその第２切り起こし部に留めることで配線を基板に接続することができる。
【００１４】
また、ベース部材の１対の第１端部のそれぞれを支持する１対の枠体を備えて、その１対の枠体のうちの一方の側に位置する枠体の内側に駆動部を配設し、その枠体の外側に基板部を配設することが好ましく、これにより、レーザプリンタ装置の小型化を図ることができる。
【発明を実施するための最良の形態】
【００１５】
本発明の実施の形態に係るレーザプリンタ装置について説明する。図１および図２に示すように、レーザプリンタ装置で１では、フレームとして互いに対向するように１対の枠体１２（一方のみ図示）が配設され、その枠体１２の間を渡すように所定のベース部材１１が、その枠体１２に固定されている。ベース部材１１の下方には、所定の用紙２０に画像を印刷するためのトナーを転写する感光体２が配設されている。また、ベース部材１１の下方には、その感光体２と対向するように、トナーを供給するカートリッジ３が配設されている。
【００１６】
感光体２の上方には、用紙２０に転写されたトナーを定着するための定着ユニット５がベース部材１１と並ぶように配設されている。そして、ベース部材１１には、所定の画像信号に基づいてレーザ光線を感光体２に照射するレーザスキャニングユニット４が載置されている。このように、感光体２、カートリッジ３、定着ユニット５およびレーザスキャニングユニット４は、１対の枠体１２によって挟まれた領域における所定の位置に配設されている。
【００１７】
さらに、このレーザプリンタ装置１では、装置の小型化を図るために、用紙２０の搬送等を行なう駆動源となるモータ６が、図２に示すように、１対の枠体１２における一方の枠体１２の内側（１対の枠体内）に配設されている。このとき、モータ６はカートリッジ３と接近した位置に配設されることになるため、モータ６の下方には、モータ６を下方から覆うモータカバー７が配設されている。そのモータカバー７は、ベース部材１１に取り付けられている。
【００１８】
そして、そのモータカバー７には、図３に示すように、レーザプリンタ装置１にカートリッジ３が装着されていることを検知するための検知部８が設けられている。図４に示すように、カートリッジ３がレーザプリンタ装置１に装着されると、カートリッジ３に設けられた所定の接点部３ａが検知部８に接触して、カートリッジ３が装着されたことが検知される。
【００１９】
検知部８で捉えられた信号は、配線９を介して、レーザプリンタ装置１の印刷動作を制御する基板部１０に送られることになる。その基板部１０は、図２に示すように、一方の枠体１２の外側に配設されている。
【００２０】
次に、検知部８と基板部１０とを接続する配線９の引き回しについて詳しく説明する。まず、ベース部材１１には、モータカバー７を係止するために、図５に示すように、ベース部材１１の所定の部分を上に向かって折り曲げた第１の切り起こし部１１ａが設けられている。さらに、その第１の切り起こし部１１ａから距離を隔てて第１の切り起こし部１１ａと定着ユニット５との間の所定の箇所に、第２の切り起こし部１１ｂが形成されている。
【００２１】
図６および図７に示すように、配線９は、モータカバー７がベース部材１１に取り付けられた状態で第１の切り起こし部１１ａによってモータカバー７とベース部材１１との間に生じた隙間を経て、検知部８が配設されたベース部材１１の裏側から表側に引き出されている。ベース部材１１の表側に引き出された配線９は、次に、第２の切り起こし部１１ｂに留められ、そして、図２に示すように、枠体１２に設けられた所定の開口部１２ａを経て基板部１０に接続される。本実施の形態に係るレーザプリンタ装置１は、以上のように構成される。
【００２２】
次に、上述したレーザプリンタ装置１の動作について説明する。まず、トナーを収容したカートリッジ３がレーザプリンタ装置１内に装着されると、カートリッジ３に設けられた接点部３ａが検知部８に接触して、カートリッジ３が適切に装着されていることを示す信号が配線９を介して基板部１０へ送られる。
【００２３】
次に、レーザプリンタ装置１の給紙口１３あるいは給紙トレイ（図示せず）から給紙（矢印３１）された所定の用紙２０が感光体２へ送られる（図１参照）。感光体２には、レーザスキャニングユニット４により画像信号に基づいた所定のレーザ光線が照射され、用紙２０が感光体２を通過する際に、そのレーザ光線の照射に基づいて用紙２０にトナーが転写される。トナーが転写された用紙２０は定着ユニット５へ送られる。定着ユニット５では、たとえば約２００℃程度の所定の温度にてトナーを用紙２０に定着させる処理が施される。定着処理が完了した用紙２０は排紙口１４から排紙（矢印３２）されることになる。このようにして、レーザプリンタ装置１による一連の印刷処理が完了する。
【００２４】
上述したレーザプリンタ装置１では、モータ６が枠体１２の内側に配設され、そのモータ６をカバーするモータカバー７に、カートリッジ３が装着されたことを検知する検知部８が配設されている。その検知部８に接続された配線９は、図２に示すように、ベース部材１１に形成された第１の切り起こし部１１ａによる隙間と第２切り起こし部１１ｂを経て枠体１２の外側に配設された基板部１０に接続される。
【００２５】
このように、まず、配線９が第１の切り起こし部１１ａによる隙間を経てベース部材１１の表側に引き出されることで、ベース部材１１の表側に引き出されずに裏側のカートリッジ３の側においてカートリッジ３に不本意に接触したり、また、カートリッジ３の取り出しの際に人の手に触れたりすることがなくなる。
【００２６】
そして、配線９が第１切り起こし部１１ａと定着ユニット５との間に設けられた第２切り起こし部１１ｂを経て基板部１０へ接続されることで、配線９が比較的温度の高い定着ユニット５に接触したり、モータ６に接触したりするようなことがなくなる。これにより、配線９が熱による損傷を受けることが阻止されて、耐熱性の高い配線材料を使用する必要がなくなり、コストの上昇を抑制することができる。さらに、配線９が、モータ６と連動する一連のギア（図示せず）に接触することもなく、比較的短い距離でもって基板部１０と接続されてノイズの影響を受けるのを抑制することができる。
【００２７】
このように、小型化を図るためにモータ６が枠体１２の内側に配設されたレーザプリンタ装置１では、検知部８と基板部１０とを接続する配線９を、検知部８を配設したモータカバー７が取付けられるベース部材１１にそれぞれ設けられる所定の第１の切り起こし部１１ａと第２の切り起こし部１１ｂとを経由させることで、コストを上昇させることなく比較的短い距離でもって接続することができる。
【００２８】
なお、今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２９】
【図１】本発明の実施の形態に係るレーザプリンタ装置を示す分解斜視図である。
【図２】同実施の形態において、ベース部材と枠体との取付け部分における配線の引き回しを示す部分斜視図である。
【図３】同実施の形態において、モータカバーに取付けられた検知部を示す部分斜視図である。
【図４】同実施の形態において、カートリッジが装着された状態における検知部を示す部分斜視図である。
【図５】同実施の形態において、ベース部材における切り起こし部を示す部分斜視図である。
【図６】同実施の形態において、ベース部材の切り起こし部周辺の配線の引き回しを示す第１の部分斜視図である。
【図７】同実施の形態において、ベース部材の切り起こし部周辺の配線の引き回しを示す第２の部分斜視図である。
【図８】従来のレーザプリンタ装置を示す斜視図である。
【符号の説明】
【００３０】
１  レーザプリンタ装置、２  感光体、３  カートリッジ、４  レーザスキャニングユニット、５  定着ユニット、６  モータ、７  モータカバー、８  検知部、９  配線、１０  基板部、１１  ベース部材、１１ａ  第１の切り起こし部、１１ｂ  第２の切り起こし部、１２  枠体、１３  給紙口、１４  排紙口、２０  用紙。
【図１】
2006259523.tif 000003
【図２】
2006259523.tif 000004
【図３】
2006259523.tif 000005
【図４】
2006259523.tif 000006
【図５】
2006259523.tif 000007
【図６】
2006259523.tif 000008
【図７】
2006259523.tif 000009
【図８】
2006259523.tif 000010